(57)【要約】【課題】良好なクリック感触が得られ、組み立てが容易で耐久性も向上し小型化も図れる電子部品を提供する。【解決手段】ケース１５０の裏面側に回転体９０を配置し、回転体９０と操作つまみ２１０とを一体に回転するように連結する。回転体９０の裏面側にクリック弾接体１２０と摺動子板１１０を設置し、回転体９０の裏面の押釦１８０の押釦部１８１の真下に一部が対向する位置から突出する固定突起１０１によってクリック弾接体１２０と摺動子板１１０を回転体９０に取り付ける。クリック弾接体１２０は、回転体９０に取り付ける弾接体基部１２１と、弾接体基部１２１の外周側に配置されるアーム部１２７とを具備する。アーム部１２７中に設けた弾接部１３３を、回転体９０の外周の外側を越えてケース１５０に設けたクリック係合部１６１に弾接させる。【選択図】図１
2013041727.tif 000002
【特許請求の範囲】
【請求項１】
ケースと、
前記ケースの表面側に回転自在に設置される操作つまみと、
前記ケースの前記操作つまみを設置した反対面側に設置されて前記操作つまみと一体に回転してクリック感触を生じさせるクリック弾接体と、
前記ケースの前記操作つまみを設置した反対面側に設置され前記操作つまみと一体に回転して電気的出力を変化させる摺動子板と、
前記操作つまみの中央に設けた開口内に上下動自在に露出する押釦部を有しこの押釦部を下降させることでその下方に設置した押圧スイッチを押圧操作する押釦と、を具備する電子部品において、
前記ケースの前記操作つまみを設置した反対面側に回転体を配置し、この回転体と前記操作つまみとを一体に回転するように連結し、さらにこの回転体の操作つまみ側の中央に前記押釦の押釦部を配置し、
前記回転体の前記操作つまみを設置した反対面側に前記クリック弾接体と摺動子板を設置し、さらに回転体の前記クリック弾接体と摺動子板を設置した面の前記押釦の押釦部の真下に少なくとも一部が対向する位置から突出する固定突起によってこれらクリック弾接体と摺動子板を回転体に取り付けたことを特徴とする電子部品。
【請求項２】
請求項１に記載の電子部品であって、
前記クリック弾接体は、前記回転体に取り付ける弾接体基部と、弾接体基部の外周側に配置されるアーム部とを具備して構成されており、アーム部中に設けた弾接部を、回転体の外周の外側を越えて前記ケースに設けたクリック係合部に弾接させることを特徴とする電子部品。
【請求項３】
請求項２に記載の電子部品であって、
前記クリック弾接体は、前記弾接体基部の外周からアーム基部を突出して設け、このアーム基部に前記アーム部を連結して構成されており、
さらに前記アーム基部には、前記操作つまみから突出する回転体固定突起を係止する係止部を設けたことを特徴とする電子部品。
【請求項４】
請求項２又は３に記載の電子部品であって、
前記摺動子板を摺接させる摺接パターンを設けた回路基板と、
前記回路基板及びケースを載置する取付台と、
前記取付台を揺動自在に支持する支持部材と、
前記取付台の揺動によって押圧される押圧スイッチと、
をさらに具備することを特徴とする電子部品。
【発明の詳細な説明】
【技術分野】
【０００１】
本発明は、回転式電子部品の機能と押釦式電子部品の機能を併せ持つ電子部品に関するものである。
【背景技術】
【０００２】
従来、回転式電子部品の中には、操作つまみを回転することでクリック感触を生じながら電気的出力を変化させ、一方操作つまみの中央に設置した押釦を押圧することで押圧スイッチを操作する構造の電子部品がある。
【０００３】
例えば特許文献１に示す電子部品は、ケース５０の表面側に回転つまみ１０を設置し、ケース５０の裏面側にクリック板７０と摺動子１１０を重ね合わせて設置し、さらに回転つまみ１０の中央に設けた開口部１３内に押釦つまみ３０を設置し、前記回転つまみ１０を回転することでクリック板７０と摺動子１１０を回転してクリック感触を生じさせると同時に摺動子１１０が摺接パターン１７９上を摺動してその電気的出力を変化し、一方押釦つまみ３０を押圧することで中央スイッチ１８３をオンする構成となっている。そして前記クリック板７０のクリック弾接部７９とこのクリック弾接部７９が弾接してクリック感触を生じさせるクリック係合部１６５を開口部１３の押釦つまみ３０の下側の空き空間Ｃに設置している。このように構成すれば電子部品の外径の小型化が図れる。
【０００４】
しかしながら上記電子部品の場合、中央の狭い空間Ｃにクリック弾接部７９等を設置しなければならないので、クリック弾接部７９及びこれを支持する弾接アーム部７５が小さくなり、そのバネ性が阻害されて良好なクリック感触が得られなくなるばかりか、その耐久性に悪影響を及ぼす恐れがあった。この問題は特に電子部品を小型化すればするほど大きくなる。
【０００５】
上記問題を解決するには、例えば特許文献２に示すように、操作つまみ２１０と一体に回転する回転体９０を設置し、この回転体９０の上下面にそれぞれクリックバネ１２０と摺動子１００とを設置し、クリックバネ１２０の基部１２１の外周側に設けたアーム部１２３の弾接部１３１をケース１５０に設けたクリック係合部１５９に弾接する構成とすればよい。このように構成すれば弾接部１３１及びアーム部１２３の大きさ（長さ寸法や幅寸法や厚み寸法）を大きくでき、そのバネ性が良好になり、またその耐久性が向上する。
【０００６】
しかしながらこの電子部品の場合、クリックバネ１２０の操作つまみ２１０への取り付けと、摺動子１００の回転体９０への取り付けとをそれぞれ別工程で行わなければならず、組立工程が煩雑であった。また操作つまみ２１０の中央には押釦つまみ１８０を上下動自在に収納する開口部２１２を設けているので、操作つまみ２１０とクリックバネ１２０間を連結するためのクリックバネ固定部２１９は開口部２１２の外側位置に設置しなければならず、その分クリックバネ１２０の基部１２１の外径寸法が大きくなり、アーム部１２３の外径寸法も大きくなり、回転式電子部品の小型化が阻害される恐れがあった。またクリックバネ１２０はケース１５０と回転体９０の間に設置されるので、弾接部１３１の上下動できるスペースはケース１５０と回転体９０の間の狭い空間となり、このため弾接部１３１の上下動を大きく取ることができず、良好なクリック感触が阻害される恐れがあった。
【先行技術文献】
【特許文献】
【０００７】
【特許文献１】特開２０１１−１３４５７４号公報
【特許文献２】特開２００８−２８３００９号公報
【発明の概要】
【発明が解決しようとする課題】
【０００８】
本発明は上述の点に鑑みてなされたものでありその目的は、良好なクリック感触が得られ、組み立てが容易で、耐久性も向上し、小型化も図れる電子部品を提供することにある。
【課題を解決するための手段】
【０００９】
本願請求項１に記載の発明は、ケースと、前記ケースの表面側に回転自在に設置される操作つまみと、前記ケースの前記操作つまみを設置した反対面側に設置されて前記操作つまみと一体に回転してクリック感触を生じさせるクリック弾接体と、前記ケースの前記操作つまみを設置した反対面側に設置され前記操作つまみと一体に回転して電気的出力を変化させる摺動子板と、前記操作つまみの中央に設けた開口内に上下動自在に露出する押釦部を有しこの押釦部を下降させることでその下方に設置した押圧スイッチを押圧操作する押釦と、を具備する電子部品において、前記ケースの前記操作つまみを設置した反対面側に回転体を配置し、この回転体と前記操作つまみとを一体に回転するように連結し、さらにこの回転体の操作つまみ側の中央に前記押釦の押釦部を配置し、前記回転体の前記操作つまみを設置した反対面側に前記クリック弾接体と摺動子板を設置し、さらに回転体の前記クリック弾接体と摺動子板を設置した面の前記押釦の押釦部の真下に少なくとも一部が対向する位置から突出する固定突起によってこれらクリック弾接体と摺動子板を回転体に取り付けたことを特徴とする電子部品にある。
【００１０】
本願請求項２に記載の発明は、請求項１に記載の電子部品であって、前記クリック弾接体は、前記回転体に取り付ける弾接体基部と、弾接体基部の外周側に配置されるアーム部とを具備して構成されており、アーム部中に設けた弾接部を、回転体の外周の外側を越えて前記ケースに設けたクリック係合部に弾接させることを特徴とする電子部品にある。
【００１１】
本願請求項３に記載の発明は、請求項２に記載の電子部品であって、前記クリック弾接体は、前記弾接体基部の外周からアーム基部を突出して設け、このアーム基部に前記アーム部を連結して構成されており、さらに前記アーム基部には、前記操作つまみから突出する回転体固定突起を係止する係止部を設けたことを特徴とする電子部品にある。
【００１２】
本願請求項４に記載の発明は、請求項２又は３に記載の電子部品であって、前記摺動子板を摺接させる摺接パターンを設けた回路基板と、前記ケースを載置する取付台と、前記取付台を揺動自在に支持する支持部材と、前記取付台の揺動によって押圧される押圧スイッチと、をさらに具備することを特徴とする電子部品にある。
【発明の効果】
【００１３】
請求項１に記載の発明によれば、回転体の操作つまみを取り付けた反対面側にクリック弾接体と摺動子板の両者を取り付けたので、これらクリック弾接体と摺動子板の両者を回転体に同一工程にて取り付けることができ、これによって組立工程の簡素化が図れる。
またクリック弾接体と摺動子板を取り付ける回転体の固定突起の位置を、押釦の押釦部の真下にかかる位置としたので、押釦部の外径寸法に影響されることなく、回転体の固定突起の位置を回転体の回転中心に近い位置に設置でき、その分クリック弾接体と摺動子板の外径寸法を小さくでき、回転式電子部品の小型化が図れる。
【００１４】
請求項２に記載の発明によれば、クリック弾接体は、回転体に取り付ける弾接体基部の外周側にアーム部を配置する構成なので、回転体に取り付ける弾接体基部の部分を小さく形成しても、その外側のアーム部の長さ寸法や幅寸法や厚み寸法を大きくすることができ、そのバネ性が損なわれず良好なクリック感触が得られるばかりか、その耐久性が向上する。
またこの発明によれば、クリック弾接体の弾接体基部を回転体の操作つまみを取り付けた反対面側に取り付けた上で、クリック弾接体のアーム部中に設けた弾接部を回転体の外周の外側を越えてケースに設けたクリック係合部に弾接させたので、弾接部は回転体の厚み寸法分を含む十分な上下動が行える。このため弾接部の上下動を大きく取ることができ、この点からも良好なクリック感触が得られる。
【００１５】
請求項３に記載の発明によれば、弾接体基部の外周からアーム基部を突出して設け、このアーム基部に、アーム部連結機能と、操作つまみの回転体固定突起係止機能とを持たせたので、アーム部の根元部分を確実に固定でき、弾接部の上下動に伴うアーム部の湾曲動作が安定し、より良好なクリック感触を得ることができる。
【００１６】
請求項４に記載の発明によれば、回転式電子部品と押圧式電子部品の機能を有する電子部品に、さらに揺動式電子部品の機能を一体化した多機能型の電子部品を構成することができる。
【図面の簡単な説明】
【００１７】
【図１】電子部品１の概略側断面図である。
【図２】電子部品１の斜視図である。
【図３】電子部品１の上側の部品の分解斜視図である。
【図４】電子部品１の下側の部品の分解斜視図である。
【図５】回転体９０とケース１５０と押釦１８０と操作つまみ２１０とを斜め下方から見た分解斜視図である。
【図６】回転体９０の平面図である。
【図７】回転体９０にクリック弾接体１２０と摺動子板１１０を取り付けた状態を斜め上方から見た斜視図である。
【図８】回転体９０にクリック弾接体１２０と摺動子板１１０を取り付けた状態を斜め下方から見た斜視図である。
【発明を実施するための形態】
【００１８】
以下、本発明の実施形態を図面を参照して詳細に説明する。図１は本発明を用いて構成した電子部品（以下「クリック機能付き多機能型電子部品」という）１の概略側断面図（図２のＡ−Ａ概略断面図）、図２はクリック機能付き多機能型電子部品１の斜視図、図３はクリック機能付き多機能型電子部品１の上側の部品の分解斜視図、図４はクリック機能付き多機能型電子部品１の下側の部品の分解斜視図である。また図５は回転体９０とケース１５０と押釦１８０と操作つまみ２１０とを斜め下方から見た分解斜視図である。なお以下の説明において、「上」とは回転体９０から操作つまみ２１０側を見る方向をいい、「下」とはその反対方向をいうものとする。
【００１９】
これらの図に示すようにクリック機能付き多機能型電子部品１は、保持板１１と保持カバー２０からなる支持部材１０の前記保持板１１上に、フレキシブル回路基板３０の第２回路基板（以下「第２回路基板部」という）３１と、取付台６０と、フレキシブル回路基板３０の第１回路基板（以下「第１回路基板部」という）４１と、保持カバー２０と、電気的機能部である摺動子板１１０とクリック弾接体１２０を取り付けた回転体９０と、ケース１５０と、押釦１８０と、操作つまみ２１０とを設置して構成されている。このクリック機能付き多機能型電子部品１は、操作つまみ２１０を回転することで操作するクリック機能付き回転式電子部品としての機能の他に、押釦１８０を押圧することで操作する押圧式電子部品としての機能と、操作つまみ１８０を多方向に揺動して揺動した側のスイッチをオンする揺動式電子部品の機能を併せ持つものである。
【００２０】
保持板１１は硬質板で構成され、この例では金属板（ステンレス板）を用いているが、合成樹脂板等の他の材質を用いても良い。保持板１１は少なくとも保持カバー２０を載置する寸法形状に形成され、下記する保持カバー２０の各取付部２５（４つ）に対向する位置に貫通孔からなる挿入取付部１３を設けている。
【００２１】
保持カバー２０は合成樹脂を略矩形状に成形し、その中央に略円形の開口２１を設けて構成されている。保持カバー２０の下面の４つの角部近傍には、開口２１につながる４つの凹状の係合部２３が設けられている。係合部２３は下記する取付台６０の係合片６７を上下動自在に挿入・係合する寸法形状に形成されている。保持カバー２０の下面の前記保持板１１の各挿入取付部１３に対向する位置（４か所、図４では３か所のみ示す）には、小突起状の取付部２５が設けられている。
【００２２】
フレキシブル回路基板３０は可撓性を有する合成樹脂フイルム上に所望の回路パターンを設けて構成されており、この例では熱可塑性のＰＥＴ（ポリエチレンテレフタレート）フイルムを用いているが、他の各種熱可塑性、熱硬化性、光硬化性の合成樹脂フイルムを用いて構成しても良い。フレキシブル回路基板３０は、摺接パターン４５（図１参照）が形成された第１回路基板部４１と中央の押圧スイッチ（以下「中央スイッチ」という）３３とその周囲を囲む４つの押圧スイッチ３５とが形成された第２回路基板部３１とを、帯状の連結部５１によって連結して構成されている。なお図４では第１回路基板部４１が上下逆向きとなっているため、摺接パターン４５は見えない。
【００２３】
第２回路基板部３１は略矩形状の外形を有し、その上面の中央に中央スイッチ３３を設置し、中央スイッチ３３の周囲の複数の位置（この例では同一円周上の等間隔（９０°間隔）の４か所の位置）に押圧スイッチ３５を設置して構成されている。両スイッチ３３，３５は何れも、図示しない一対のスイッチ接点上に弾性金属板をドーム形状に形成してなる反転板（可動接点板）を取り付けて構成されており、反転板を押圧してこれを反転することでスイッチがオンする構造になっている。第２回路基板部３１の外周には帯状の引出部３７が連結されている。引出部３７には各スイッチ３３，３５と摺接パターン４５とからそれぞれ引き出される回路パターンが形成されている。
【００２４】
取付台６０は合成樹脂を略円板状に成形して構成されており、その中央には押釦１８０の押圧部１８３を挿通して軸支する開口部６１が設けられ、開口部６１の周囲には上方向に向かって突出する筒状の突起からなる軸部６３が設けられている。一方取付台６０の外周近傍の複数の位置（この例では４か所の位置）には、貫通孔からなる取付部６５が設けられ、また取付台６０の外周の所定位置（この例では各取付部６５の外側の４か所の位置であって、前記保持カバー２０の各係合部２３に対向する位置）には、半径方向外方に向かって突出する係合片６７が設けられている。取付台６０の下面の各取付部６５の間の所定位置（前記第２回路基板部３１の各押圧スイッチ３５に対向する位置、各取付部６５間の中間位置）には、下方向に向かって突出する柱状の押圧部６９が設けられている。
【００２５】
第１回路基板部４１は略矩形状の外形を有し、中央に取付台６０の軸部６３を挿通する円形の開口部４３を設け、またその下面の開口部４３の周囲に摺接パターン４５（図１参照）を設けて構成されている。摺接パターン４５はスイッチパターンや抵抗体パターン等である。第１回路基板部４１の前記取付台６０の各取付部６５に対向する位置には、貫通孔からなる挿通部４７が設けられている。
【００２６】
摺動子板１１０は弾性金属板（例えばリン青銅板）製であり、略円形の平板リング状に形成され、中央に開口１１１を設けると共に、等間隔（１２０°間隔）の３か所の位置に小孔からなる取付固定部１１３を設け、また各取付固定部１１３の側部から３本ずつの摺動冊子１１５を摺動子板１１０の開口１１１の周囲を囲むように配置して構成されている。各組の摺動冊子１１５中の先端近傍部分には摺動接点１１７が設けられている。
【００２７】
クリック弾接体１２０は１枚の弾性金属板（例えばステンレス板）製であり、リング形状に形成され中央に開口１２３を有する弾接体基部１２１と、弾接体基部１２１の外周の１８０°対向する位置から突出する略矩形状のアーム基部１２５と、これらアーム基部１２５の両側部にそれぞれ両端部が連結される半円弧状の一対のアーム部１２７，１２７とを具備して構成されている。弾接体基部１２１の外径寸法は、摺動子板１１０の外径寸法と略同一であり、摺動子板１１０の各取付固定部１１３に対向する位置（等間隔（１２０°間隔）の３か所の位置）に小孔からなる被取付部１２９を設けている。アーム基部１２５には下記する操作つまみ２１０の回転体固定突起２１７を挿入する複数（２つ）ずつの小孔からなる係止部１３１が設けられている。一方各アーム部１２７は両端の根元部分で折り曲げられて上方向に傾斜している。各アーム部１２７の中央には上方向に凸となるように略円弧状に湾曲する弾接部１３３が形成されている。
【００２８】
回転体９０は合成樹脂を略円板状に成形して構成されており、その中央には上下方向に筒状に延びる軸支部９１が形成されている。軸支部９１の中央の貫通する開口９３は前記取付台６０の軸部６３を回動自在に挿入する寸法に形成されている。回転体９０の上面の軸支部９１の周囲からはリング状の突起９５が突設され、これによって突起９５の内側の凹部を押釦部収納部９７としている。押釦部収納部９７の内径寸法は下記する押釦１８０の押釦部１８１の外周を略ぴったり収納する寸法に形成されている。回転体９０の下面の軸支部９１の周囲の面は平面状の取付面９９となっており、その形状は前記クリック弾接体１２０の弾接体基部１２１及びアーム基部１２５を合わせた形状と略一致している。そして取付面９９の軸支部９１を囲む位置であって、前記クリック弾接体１２０の各被取付部１２９に対向する位置には複数（３か所）の小突起からなる固定突起１０１が形成されている。また取付面９９の外周近傍位置であって、前記クリック弾接体１２０の各係止部１３１に対向する位置には複数（２つ）ずつの小孔からなる取付挿入部１０３が形成されている。回転体９０の下面の前記クリック弾接体１２０のアーム部１２７に対向する面は半径方向外方に向けて上方向に傾斜する傾斜面１０５となっており、傾斜面１０５の先端部分（クリック弾接体１２０の弾接部１３３に対向する部分）は直線状に切り欠かれることでその外側部分を弾接部露出部１０７としている。
【００２９】
ここで図６は回転体９０の平面図である。同図に点線で示すように、各固定突起１０１の一部（半分以上の部分）は、押釦部収納部９７の真下に位置している。押釦部収納部９７には上述のように略ぴったり押釦１８０の押釦部１８１（つば部１８１ａを含む）が収納されるので、言い換えれば、固定突起１０１は回転体９０の押釦１８０の押釦部１８１を設置するその真下に少なくとも一部が対向する位置から突出していることになる。
【００３０】
ケース１５０は合成樹脂を成形して構成されており、略円形平板状の上面部１５１と、上面部１５１の外周から下方に筒状に突出してなる側壁部１５３と、側壁部１５３の下面から外方に向けてつば状に突出するつば部１５５とを具備している。上面部１５１の中央には下記する操作つまみ２１０の軸支部２１５を回動自在に挿入する上下に貫通する円形の開口部１５７が設けられている。またつば部１５５の下面の複数位置には前記取付台６０の各取付部６５に挿入される突起からなる取付台固定部１５９が設けられている。また上面部１５１の下面の開口部１５７の周囲には、前記クリック弾接体１２０の弾接部１３３を弾接させる多数の凹凸をリング状に形成してなるクリック係合部１６１が設けられている。
【００３１】
押釦１８０は合成樹脂の成形品であり、略円板状の押釦部１８１と、押釦部１８１の下面中央から下方向に突出する柱状の押圧部１８３とを具備して構成されている。押釦部１８１の外周部分は薄板リング状のつば部１８１ａとなっている。また押圧部１８３の外周面には上下方向（軸方向）に沿う突条からなる回り止め係合部１８５が設けられている。
【００３２】
操作つまみ２１０は合成樹脂の成形品であり、略円板状の本体部２１１の外周から下方に向けて筒状に側壁部２１３を突出して構成されている。本体部２１１の中央には上下に貫通して前記押釦１８０の押釦部１８１（つば部１８１ａを除く）を挿入する内径寸法（つば部１８１ａの外径寸法よりも小さい内径寸法）の円形の開口２１２が設けられている。また本体部２１１の下面の開口２１２の周囲には下方向に突出する筒状の軸支部２１５が設けられている。軸支部２１５の外径寸法は前記ケース１５０の開口部１５７に略ぴったり挿入されて回動自在に軸支される寸法に形成され、軸支部２１５の内径寸法は前記回転体９０の突起９５をほぼぴったり収納する寸法に形成されている。軸支部２１５の下端辺の１８０°対向する位置からは２本ずつ下方向に向かって回転体固定突起２１７が突設されている。
【００３３】
次に電子部品１の組立方法を説明する。まず予め回転体９０の取付面９９にクリック弾接体１２０と摺動子板１１０とを積層して配置する。即ち回転体９０の取付面９９にクリック弾接体１２０の弾接体基部１２１とアーム基部１２５とを当接し、さらに弾接体基部１２１の下面に摺動子板１１０を当接する。このとき回転体９０に設けた各固定突起１０１を、クリック弾接体１２０の各被取付部１２９と摺動子板１１０の各取付固定部１１３に挿入し、各固定突起１０１の先端を熱によってかしめ、これによって回転体９０の取付面９９にクリック弾接体１２０と摺動子板１１０とを取り付ける。
【００３４】
図７，図８は回転体９０にクリック弾接体１２０と摺動子板１１０を取り付けた状態を示す図であり、図７は斜め上方から見た斜視図、図８は斜め下方から見た斜視図である。なお図８において、各固定突起１０１は熱かしめする前の、これらを潰していない状態を示している。これらの図に示すように回転体９０にクリック弾接体１２０と摺動子板１１０を取り付けた際、回転体９０の各取付挿入部１０３とクリック弾接体１２０の各係止部１３１は同一位置に位置し、両者で１つの貫通孔を形成している。またクリック弾接体１２０の両アーム部１２７の上面の一部（アーム部１２７の上面の内、内周に近い側の面）は回転体９０の各傾斜面１０５に当接している。またクリック弾接体１２０の両弾接部１３３は回転体９０の各弾接部露出部１０７内に位置し、これによって両弾接部１３３は回転体９０の外周の外側を越えて回転体９０の上面側に露出している。
【００３５】
そして操作つまみ２１０の開口２１２にその下面側から押釦１８０の押釦部１８１を挿入し、押釦部１８１のつば部１８１ａを除く中央部分の上面を開口２１２から操作つまみ２１０の上面側に露出させる。次に操作つまみ２１０の下面側にケース１５０を設置する。このときケース１５０の開口部１５７内に操作つまみ２１０の軸支部２１５が回動自在に挿入され、また操作つまみ２１０の側壁部２１３の内側にケース１５０の側壁部１５３が入り込む。
【００３６】
次にケース１５０の下面側の側壁部１５３内に、前記クリック弾接体１２０と摺動子板１１０とを取り付けた回転体９０を挿入する。このとき回転体９０上面の突起９５を操作つまみ２１０の軸支部２１５の内側に挿入し、同時に回転体９０の押釦部収納部９７内に押釦１８０の押釦部１８１（つば部１８１ａを含む）を上下動自在に挿入し、また回転体９０の開口９３内に押釦１８０の押圧部１８３を挿入する。このとき同時に、操作つまみ２１０の各回転体固定突起２１７を回転体９０の各取付挿入部１０３とクリック弾接体１２０の各係止部１３１に挿入し、各係止部１３１の下面側に突出した前記各回転体固定突起２１７の先端を熱かしめし、これによって操作つまみ２１０と回転体９０とクリック弾接体１２０と摺動子板１１０とをケース１５０を挟んで一体化する。さらにこのときクリック弾接体１２０の各弾接部１３３はケース１５０下面のクリック係合部１６１に弾接し、そのアーム部１２７は少し下降して回転体９０の傾斜面１０５から離れる。
【００３７】
次に図４に示すフレキシブル回路基板３０の第１回路基板部４１をその下面を上に向けた状態で取付台６０上に載置し、その際第１回路基板部４１の開口部４３に取付台６０の軸部６３を挿通し、これらを前記ケース１５０の下側に設置する。このとき取付台６０の軸部６３は回転体９０の開口９３に挿入され、回転体９０を回動自在に軸支する。同時に取付台６０の開口部６１に押釦１８０の押圧部１８３が上下動自在で且つ押釦１８０が取付台６０に対して回動しないように挿入され、押圧部１８３の下端は取付台６０の下面に露出する。同時に摺動子板１１０の摺動接点１１７が第１回路基板部４１の摺接パターン４５に弾接する。さらにこのときケース１５０の各取付台固定部１５９が前記第１回路基板部４１の各挿通部４７と取付台６０の各取付部６５に挿入され、取付台６０の下面から突出する各取付台固定部１５９の先端を熱かしめして固定する。
【００３８】
次に連結部５１を折り曲げることで第２回路基板部３１を取付台６０の下面側に設置し、さらに第２回路基板部３１の下面側に保持板１１を設置した上で、操作つまみ２１０の上部から被せるように保持カバー２０を第２回路基板部３１上に載置する。このとき保持カバー２０の開口２１内に前記ケース１５０や取付台６０等が設置され、また保持カバー２０の各係合部２３内に取付台６０の各係合片６７が上下動自在に挿入され、さらに保持カバー２０の各取付部２５が保持板１１の各挿入取付部１３に挿入される。そして保持板１１の下面から突出する各取付部２５の先端を熱かしめすれば、クリック機能付き多機能型電子部品１の組み立てが完了する。なお上記組立手順はその一例であり、他の各種異なる組立手順を用いて組み立てても良いことはいうまでもない。
【００３９】
以上のようにして構成されたクリック機能付き多機能型電子部品１は、図１に示すように、ケース１５０の上部に設置した操作つまみ２１０と、ケース１５０の下部に設置した回転体９０，クリック弾接体１２０，摺動子板１１０とが、ケース１５０の上下でケース１５０に対して一体に回転自在に設置される。またクリック弾接体１２０の弾接部１３３はケース１５０のクリック係合部１６１に弾接した状態となっており、また摺動子板１１０の摺動接点１１７は第１回路基板部４１の摺接パターン４５に当接した状態となっている。また押釦１８０の押圧部１８３の下面は中央スイッチ３３の反転板に当接し、つば部１８１ａの上面は操作つまみ２１０の下面の開口２１２周囲の面に接近又は当接している。また取付台６０の各押圧部６９は各押圧スイッチ３５の反転板に当接して水平状態を保っている。
【００４０】
そして操作つまみ２１０を回転すれば、回転体９０とクリック弾接体１２０と摺動子板１１０が操作つまみ２１０と一体に回転し、摺動子板１１０の摺動接点１１７が摺接パターン４５上を摺動して摺接パターン４５の電気的出力が変化する。同時にクリック弾接体１２０の弾接部１３３がケース１５０のクリック係合部１６１に弾接係合してクリック感触が得られる。即ち摺動子板１１０と摺接パターン４５によって回転式電子部品の出力を取り出す検出手段が構成されており、一方クリック弾接体１２０とクリック係合部１６１によって回転式電子部品のクリック機構が構成されている。
【００４１】
一方押釦１８０の押釦部１８１を押圧すれば、その押圧部１８３が中央スイッチ３３の反転板を押圧してこれを反転し、中央スイッチ３３がオンする。押釦１８０への押圧を解除すれば反転板の弾性復帰力によって中央スイッチ３３はオフし、押釦１８０は元の位置に自動復帰する。また操作つまみ２１０の上面の取付台６０の４か所の押圧部６９の何れかに対応する部分を押圧すれば、ケース１５０や押釦１８０等、取付台６０上に設置されている各構成部品が取付台６０と一体に押圧された方向に傾いて揺動し、下降した側の押圧部６９が対向する押圧スイッチ３５の反転板を押圧してこれを反転し、押圧スイッチ３５がオンする。操作つまみ２１０への押圧を解除すれば、反転している反転板の弾性復帰力によって操作つまみ２１０及び取付台６０等の各構成部品が一体に元の水平位置に自動復帰し、押圧スイッチ３５はオフする。
【００４２】
以上説明したように、クリック機能付き多機能型電子部品１は、ケース１５０と、ケース１５０の表面側に回転自在に設置される操作つまみ２１０と、ケース１５０の操作つまみ２１０を設置した反対面側に設置されて操作つまみ２１０と一体に回転してクリック感触を生じさせるクリック弾接体１２０と、ケース１５０の操作つまみ２１０を設置した反対面側に設置され操作つまみ２１０と一体に回転して電気的出力を変化させる摺動子板１１０と、操作つまみ２１０の中央に設けた開口２１２内に上下動自在に露出する押釦部１８１を有しこの押釦部１８１を下降させることでその下方に設置した中央スイッチ３３を押圧操作する押釦１８０とを具備して構成されている。
【００４３】
さらにこのクリック機能付き多機能型電子部品１においては、ケース１５０の操作つまみ２１０を設置した反対面側（下面側）に回転体９０を配置し、この回転体９０と操作つまみ２１０とを一体に回転するように連結し、さらにこの回転体９０の操作つまみ２１０側の中央に押釦１８０の押釦部１８１を配置し、回転体９０の操作つまみ２１０を設置した反対面側にクリック弾接体１２０と摺動子板１１０を設置し、さらに回転体９０のクリック弾接体１２０と摺動子板１１０を設置した面（取付面９９）の押釦１８０の押釦部１８１の真下に少なくとも一部が対向する位置から突出する固定突起１０１によってクリック弾接体１２０と摺動子板１１０を回転体９０に取り付けている。
【００４４】
以上のように、回転体９０の操作つまみ２１０を取り付けた反対面側にクリック弾接体１２０と摺動子板１１０の両者を取り付けたので、クリック弾接体１２０と摺動子板１１０の両者を回転体９０に同一工程にて取り付けることができ、これによって組立工程の簡素化が図れる。またクリック弾接体１２０と摺動子板１１０を取り付ける回転体９０の固定突起１０１の位置を、押釦１８０の押釦部１８１の真下にかかる位置としたので、押釦部１８１の外径寸法に影響されることなく、固定突起１０１の位置を回転体９０の回転中心に近い位置に設置でき、その分クリック弾接体１２０と摺動子板１１０の外径寸法を小さくでき、クリック機能付き多機能型電子部品１の小型化を図ることができる。
【００４５】
またこのクリック機能付き多機能型電子部品１のクリック弾接体１２０は、回転体９０に取り付ける弾接体基部１２１と、弾接体基部１２１の外周から突出するアーム部１２７とを具備して構成されており、アーム部１２７中に設けた弾接部１３３は、回転体９０の外周の外側を越えてケース１５０に設けたクリック係合部１６１に弾接させる構成となっている。
【００４６】
以上のようにクリック弾接体１２０は、回転体９０に取り付ける弾接体基部１２１の外周側にアーム部１２７を配置する構成なので、回転体９０に取り付ける弾接体基部１２１の部分を小さく形成しても、その外側のアーム部１２７の長さ寸法や幅寸法や厚み寸法を大きくすることができ、そのバネ性が損なわれず良好なクリック感触が得られるばかりか、その耐久性が向上する。またクリック弾接体１２０の弾接体基部１２１を回転体９０の操作つまみ２１０を取り付けた反対面側に取り付けた上で、クリック弾接体１２０のアーム部１２７中に設けた弾接部１３３を回転体９０の外周の外側を越えてケース１５０に設けたクリック係合部１６１に弾接させるので、弾接部１３３は回転体９０の厚み寸法分を含む十分な上下動が行える。このため弾接部１３３の上下動を大きく取ることができ、この点からも良好なクリック感触が得られる。
【００４７】
またこのクリック機能付き多機能型電子部品１のクリック弾接体１２０は、弾接体基部１２１の外周からアーム基部１２５を突出して設け、このアーム基部１２５にアーム部１２７を連結して構成されており、さらにアーム基部１２５には、操作つまみ２１０の押釦１８０の押釦部１８１の外周よりも外側位置から突出する回転体固定突起２１７を係止する係止部１３１を設けている。このように弾接体基部１２１の外周からアーム基部１２５を突出して設け、このアーム基部１２５に、アーム部１２７の連結機能と、操作つまみ２１０の回転体固定突起２１７の係止機能とを持たせたので、アーム部１２７の根元部分を確実に固定でき、弾接部１３３の上下動に伴うアーム部１２７の湾曲動作が安定し、より良好なクリック感触を得ることができる。
【００４８】
またこのクリック機能付き多機能型電子部品１は、摺動子板１１０を摺接することで変化する電気的出力を取り出す摺接パターン４５を設けた回路基板（第１回路基板部４１）と、ケース１５０を載置する取付台６０と、取付台６０を揺動自在に支持する支持部材（保持板１１と保持カバー２０）と、取付台６０の揺動によって押圧される押圧スイッチ３５とをさらに具備しているので、回転式電子部品と押圧式電子部品の機能を有する電子部品に、さらに揺動式電子部品の機能を一体化した多機能型の電子部品を構成することができる。
【００４９】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記クリック機能付き多機能型電子部品１では、第１回路基板部４１と第２回路基板部３１を連結部５１によって一体に連結しているが、第１回路基板部４１と第２回路基板部３１とを別個の回路基板として構成しても良い。その場合、第１回路基板部４１と第２回路基板部３１の少なくとも何れかを硬質の回路基板で構成しても良い。
【００５０】
また上記クリック機能付き多機能型電子部品１では、クリック弾接体１２０と摺動子板１１０とを直接接合するように重ね合わせて設置したが、両者間に別の部材を介在して重ね合わせても良い。また上記クリック弾接体１２０は、アーム部１２７をいわゆる両持ち状に弾接体基部１２１に連結しているが、片持ち状に弾接体基部１２１に連結しても良い。またアーム部１２７の本数は１本又は３本以上であっても良い。また場合によってはアーム基部１２５の係止部１３１と操作つまみ２１０の回転体固定突起２１７との係合を省略しても良い。
【００５１】
また上記クリック機能付き多機能型電子部品１では、電子部品に揺動式電子部品の機能を持たせるために取付台６０を支持部材（保持板１１と保持カバー２０）によって揺動自在に支持させたが、取付台６０を揺動自在に支持する構造として他の各種構造を用いても良い。さらに電子部品に揺動式電子部品の機能を持たせる必要がない場合は、取付台６０を支持部材によって揺動自在に支持させる構造や押圧スイッチ３５は不要となる。
【００５２】
また上記クリック機能付き多機能型電子部品１では、中央スイッチ３３や押圧スイッチ３５を、１枚の合成樹脂フイルム上に形成した接点パターン上に反転板を取り付けることで構成しているが、これらのスイッチは２枚の合成樹脂フイルムを重ね合わせて両合成樹脂フイルムにそれぞれ設けた一対の接点パターンを隙間を介して対向させ、一方の合成樹脂フイルムに設けた接点パターンの裏面側に反転板を設置すること（但し反転板は必ずしも設置しなくて良い）で構成されるいわゆるメンブレンスイッチで構成しても良い。
【符号の説明】
【００５３】
１  クリック機能付き多機能型電子部品（電子部品）
１０  支持部材
１１  保持板
２０  保持カバー
３０  フレキシブル回路基板
３１  第２回路基板部（第２回路基板）
３３  中央スイッチ（押圧スイッチ）
３５  押圧スイッチ
４１  第１回路基板部（第１回路基板）
４５  摺接パターン（電気的機能部）
６０  取付台
９０  回転体
１０１  固定突起
１１０  摺動子板（電気的機能部）
１２０  クリック弾接体
１２１  弾接体基部
１２５  アーム基部
１２７  アーム部
１３１  係止部
１３３  弾接部
１５０  ケース
１６１  クリック係合部
１８０  押釦
１８１  押釦部
１８３  押圧部
２１０  操作つまみ
２１２  開口
２１７  回転体固定突起
【図１】
2013041727.tif 000003
【図２】
2013041727.tif 000004
【図３】
2013041727.tif 000005
【図４】
2013041727.tif 000006
【図５】
2013041727.tif 000007
【図６】
2013041727.tif 000008
【図７】
2013041727.tif 000009
【図８】
2013041727.tif 000010